【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
ネットワークを介して接続された端末装置に対して、店舗で取り扱われている商品に対応する商品情報を複数商品分提供する商品情報提供サーバ装置であって、
商品が属するジャンルに基づいて並べられた前記複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させる表示データを、前記端末装置に送信することを特徴とする商品情報提供サーバ装置。
【請求項２】
前記表示データは、選択可能な状態で表示する商品情報に対応する商品のジャンルとは異なるジャンルに属する商品の商品情報を選択不可能な状態で表示する前記商品一覧画面を表示部に表示させることを特徴とする請求項１に記載の商品情報提供サーバ装置。
【請求項３】
請求項１又は請求項２に記載の商品情報提供サーバ装置であって、
前記商品情報が商品画像情報を含むことを特徴とする商品情報提供サーバ装置。
【請求項４】
請求項１乃至請求項３の何れか一項に記載の商品情報提供サーバ装置であって、
前記表示データは、前記商品一覧画面に選択可能な状態で表示させている商品の属するジャンルを示す情報を表示させることを特徴とする商品情報提供サーバ装置。
【請求項５】
請求項４に記載の商品情報提供サーバ装置であって、
前記表示データは、前記商品一覧画面に選択可能な状態で表示させている商品が属するジャンルを示す情報とともに、当該ジャンルとは異なるジャンルであって、前記複数商品分の商品情報に対応する商品のうち何れかの商品が属するジャンルを示す情報を表示させ、
前記商品一覧画面に選択可能な状態で表示させている商品が属するジャンルとは異なるジャンルが選択された場合に、当該選択されたジャンルに属する商品に対応する商品情報を表示させることを特徴とする商品情報提供サーバ装置。
【請求項６】
請求項１乃至請求項５の何れか一項に記載の商品情報提供サーバ装置であって、
前記表示データは、前記商品一覧画面にて選択可能な状態で表示されている商品に対応する商品情報とは異なる前記一部の商品分に対応する商品情報を表示させるための商品変更操作が検出されたことに基づいて、前記商品一覧画面に選択可能な状態で表示させている商品に対応する商品情報から、前記異なる一部の商品分に対応する商品情報にスライドさせつつ表示を切り換えることを特徴とする商品情報提供サーバ装置。
【請求項７】
請求項６に記載の商品情報提供サーバ装置であって、
前記表示データは、前記商品一覧画面を表示させるためのＷｅｂページデータであって、当該Ｗｅｂページデータにより規定される当該商品一覧画面の長手方向と直交する方向に、前記スライドをさせることを特徴とする商品情報提供サーバ装置。
【請求項８】
請求項１乃至請求項７の何れか一項に記載の商品情報提供サーバ装置であって、
前記表示データは、前記各ジャンルを並べる際の順位を規定したジャンル順位情報に基づいて並べられた前記複数商品分の商品情報を連続させて前記商品一覧画面に表示させることを特徴とする商品情報提供サーバ装置。
【請求項９】
請求項１乃至請求項８の何れか一項に記載の商品情報提供サーバ装置であって、
商品が属するジャンル情報に対し、前記端末装置において並べられる順位を決定するジャンル順位決定手段と、
前記ジャンル順位決定手段で決定された前記ジャンル情報の順位に基づいて並べた前記複数商品分の商品情報を、異なるジャンルに属する商品であっても連続して閲覧可能なように表示する前記商品一覧画面を前記表示部に表示させる前記表示データを生成する表示データ生成手段と、
前記表示データ生成手段で生成された前記表示データを前記端末装置に対して送信する送信手段と、
を備えることを特徴とする商品情報提供サーバ装置。
【請求項１０】
請求項９に記載の商品情報提供サーバ装置であって、
ユーザごとの過去の購入履歴を格納する購入履歴格納手段をさらに備え、
前記ジャンル順位決定手段は、前記購入履歴格納手段を参照し、前記端末装置のユーザが過去に購入した商品を、より多く含むジャンルほど、より上位の順位を規定するように、前記ジャンル情報の順位を決定することを特徴とする商品情報提供サーバ装置。
【請求項１１】
請求項９に記載の商品情報提供サーバ装置であって、
ユーザごとの過去の購入履歴を格納する購入履歴格納手段をさらに備え、
前記ジャンル順位決定手段は、前記購入履歴格納手段を参照し、前記端末装置のユーザが過去に一度の買い物で複数の商品を購入した際における商品を購入した順序に対応させて、前記ジャンル情報の順位を決定することを特徴とする商品情報提供サーバ装置。
【請求項１２】
請求項９に記載の商品情報提供サーバ装置であって、
前記ジャンル順位決定手段は、特売商品を多く含むジャンルほど、より上位の順位を規定するように、前記ジャンル情報の順位を決定することを特徴とする商品情報提供サーバ装置。
【請求項１３】
請求項９に記載の商品情報提供サーバ装置であって、
前記ジャンル順位決定手段は、ジャンル内に含まれる商品の平均割引率が高いジャンルほど、より上位の順位を規定するように、前記ジャンル情報の順位を決定することを特徴とする商品情報提供サーバ装置。
【請求項１４】
ネットワークを介して接続された端末装置に対して、店舗で取り扱われている商品に対応する商品情報を複数商品分提供する商品情報提供サーバ装置であって、
前記端末装置に、商品が属するジャンルに基づいて並べられた、前記複数商品分の商品情報を、異なるジャンルに属する商品を連続して閲覧可能なように表示する商品一覧画面を表示部に表示させる表示データを送信し、
前記表示データは、前記商品一覧画面に、前記複数商品分の商品情報を一部の商品分ずつ、対応する商品を選択可能な状態で表示させ、前記選択可能な状態で表示している商品に対応する商品情報とともに、前記商品一覧画面にて選択可能な状態で表示されている商品に対応する商品情報とは異なる前記一部の商品分に対応する商品情報を表示させるための商品変更操作が検出された際新たに選択可能な状態で表示させるべき商品に対応する商品情報を、選択不可能な状態で表示させることを特徴とする商品情報提供サーバ装置。
【請求項１５】
コンピュータを、
商品情報提供サーバ装置にネットワークを介して接続し、店舗で取り扱われている商品に対応する商品情報を複数商品分受信する商品情報受信手段、
商品が属するジャンルに基づいて並べられた前記受信した複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させる表示制御手段、
として機能させることを特徴とする商品情報表示プログラム。
【請求項１６】
コンピュータが、商品情報提供サーバ装置にネットワークを介して接続し、店舗で取り扱われている商品に対応する商品情報を複数商品分受信するステップと、
前記コンピュータが、商品が属するジャンルに基づいて並べられた前記受信した複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させるステップと、
を含むことを特徴とする商品情報表示方法。
【請求項１７】
店舗で取り扱われている商品に対応する商品情報を複数商品分提供する商品情報提供サーバ装置と、前記商品情報提供サーバ装置にネットワークを介して接続する端末装置と、を有する商品情報提供システムであって、
前記端末装置は、
前記商品情報提供サーバ装置から複数商品分の商品情報を受信する商品情報受信手段と、
商品が属するジャンルに基づいて並べられた前記受信した複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させる表示制御手段と、を備えることを特徴とする商品情報提供システム。
【請求項１８】
店舗で取り扱われている商品に対応する商品情報を提供する商品情報提供サーバ装置に、ネットワークを介して接続する端末装置であって、
前記商品情報提供サーバ装置から複数商品分の商品情報を受信する商品情報受信手段と、
商品が属するジャンルに基づいて並べられた前記受信した複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させる表示制御手段と、
を備えることを特徴とする端末装置。
【請求項１９】
請求項１８に記載の端末装置であって、
前記表示制御手段は、選択可能な状態で表示する商品情報に対応する商品のジャンルとは異なるジャンルに属する商品の商品情報を選択不可能な状態で表示する前記商品一覧画面を表示部に表示させることを特徴とする端末装置。
【請求項２０】
請求項１８又は請求項１９に記載の端末装置であって、
前記表示制御手段は、前記商品一覧画面に選択可能な状態で表示させている商品が属するジャンルを示す情報とともに、当該ジャンルとは異なるジャンルであって、前記受信した複数商品分の商品情報に対応する商品のうち何れかの商品が属するジャンルを示す情報を表示させ、
前記商品一覧画面に選択可能な状態で表示させている商品が属するジャンルとは異なるジャンルが選択された場合に、当該選択されたジャンルに属する商品に対応する商品情報を表示させることを特徴とする端末装置。
【請求項２１】
請求項１８乃至請求項２０の何れか一項に記載の端末装置であって、
前記商品一覧画面にて選択可能な状態で表示されている商品に対応する商品情報とは異なる前記一部の商品分に対応する商品情報を表示させるための商品変更操作を検出する変更操作検出手段を更に備え、
前記表示制御手段は、前記商品変更操作が検出されたことに基づいて、前記商品一覧画面に選択可能な状態で表示させている商品に対応する商品情報から、前記異なる一部の商品分に対応する商品情報にスライドさせつつ表示を切り換えることを特徴とする端末装置。
【請求項２２】
請求項２１に記載の端末装置であって、
前記受信手段は、前記商品情報をＷｅｂページデータとして受信し、
前記表示制御手段は、当該Ｗｅｂページデータに基づいて前記商品一覧画面を表示させ、当該Ｗｅｂページデータにより規定される当該商品一覧画面の長手方向と直交する方向に、前記スライドをさせることを特徴とする端末装置。
【請求項２３】
コンピュータを、
商品情報提供サーバ装置にネットワークを介して接続し、店舗で取り扱われている商品に対応する商品情報を複数商品分受信する商品情報受信手段、
商品が属するジャンルに基づいて並べられた前記受信した複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させる表示制御手段、
として機能させる商品情報表示プログラムが記録されたコンピュータ読み取り可能な記録媒体。
【手続補正２】
【補正対象書類名】明細書
【補正対象項目名】０００７
【補正方法】変更
【補正の内容】
【０００７】
上記課題を解決するために、請求項１に記載の発明は、ネットワークを介して接続された端末装置に対して、店舗で取り扱われている商品に対応する商品情報を複数商品分提供する商品情報提供サーバ装置であって、商品が属するジャンルに基づいて並べられた前記複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させる表示データを、前記端末装置に送信することを特徴とする。
【手続補正３】
【補正対象書類名】明細書
【補正対象項目名】０００８
【補正方法】変更
【補正の内容】
【０００８】
請求項１に記載の発明によれば、商品が属するジャンルに基づいて並べられた複数商品分の商品情報が、一部の商品分ずつ選択可能な状態で表示されるとともに、選択可能な状態で表示している商品に対応する商品情報とは異なる一部の商品分に対応する商品情報が選択不可能な状態で表示され、ユーザは、ジャンル毎に商品が陳列された商品棚を次から次へと見て回るという実際に店内を回遊する感覚を疑似体験することができ、買い物を楽しむことができる。
【手続補正４】
【補正対象書類名】明細書
【補正対象項目名】０００９
【補正方法】変更
【補正の内容】
【０００９】
請求項２に記載の発明は、前記表示データが、選択可能な状態で表示する商品情報に対応する商品のジャンルとは異なるジャンルに属する商品の商品情報を選択不可能な状態で表示する前記商品一覧画面を表示部に表示させることを特徴とする請求項１に記載の商品情報提供サーバ装置である。
請求項３に記載の発明は、請求項１又は請求項２に記載の商品情報提供サーバ装置であって、前記商品情報が商品画像情報を含むことを特徴とする。
【手続補正５】
【補正対象書類名】明細書
【補正対象項目名】００１０
【補正方法】変更
【補正の内容】
【００１０】
請求項３に記載の発明によれば、商品一覧画面に商品画像情報が表示されることから、ユーザは、実際に商品棚に陳列された商品を目にしているような感覚を疑似体験でき、買い物を楽しむことができる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項４に記載の発明は、請求項１乃至請求項３の何れか一項に記載の商品情報提供サーバ装置であって、前記表示データは、前記商品一覧画面に選択可能な状態で表示させている商品の属するジャンルを示す情報を表示させることを特徴とする。
【手続補正９】
【補正対象書類名】明細書
【補正対象項目名】００１５
【補正方法】変更
【補正の内容】
【００１５】
請求項５に記載の発明は、請求項４に記載の商品情報提供サーバ装置であって、前記表示データは、前記商品一覧画面に選択可能な状態で表示させている商品が属するジャンルを示す情報とともに、当該ジャンルとは異なるジャンルであって、前記複数商品分の商品情報に対応する商品のうち何れかの商品が属するジャンルを示す情報を表示させ、前記商品一覧画面に選択可能な状態で表示させている商品が属するジャンルとは異なるジャンルが選択された場合に、当該選択されたジャンルに属する商品に対応する商品情報を表示させることを特徴とする。
【手続補正１０】
【補正対象書類名】明細書
【補正対象項目名】００１７
【補正方法】変更
【補正の内容】
【００１７】
請求項６に記載の発明は、請求項１乃至請求項５の何れか一項に記載の商品情報提供サーバ装置であって、前記表示データは、前記商品一覧画面にて選択可能な状態で表示されている商品に対応する商品情報とは異なる前記一部の商品分に対応する商品情報を表示させるための商品変更操作が検出されたことに基づいて、前記商品一覧画面に選択可能な状態で表示させている商品に対応する商品情報から、前記異なる一部の商品分に対応する商品情報にスライドさせつつ表示を切り換えることを特徴とする。
【手続補正１１】
【補正対象書類名】明細書
【補正対象項目名】００１９
【補正方法】変更
【補正の内容】
【００１９】
請求項７に記載の発明は、請求項６に記載の商品情報提供サーバ装置であって、前記表示データは、前記商品一覧画面を表示させるためのＷｅｂページデータであって、当該Ｗｅｂページデータにより規定される当該商品一覧画面の長手方向と直交する方向に、前記スライドをさせることを特徴とする。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
請求項８に記載の発明は、請求項１乃至請求項７の何れか一項に記載の商品情報提供サーバ装置であって、前記表示データは、前記各ジャンルを並べる際の順位を規定したジャンル順位情報に基づいて並べられた前記複数商品分の商品情報を連続させて前記商品一覧画面に表示させることを特徴とする。
【手続補正１５】
【補正対象書類名】明細書
【補正対象項目名】００２４
【補正方法】変更
【補正の内容】
【００２４】
請求項８に記載の発明によれば、商品情報提供サーバ装置側（店舗側）で設定されたジャンル順位情報に基づいて、商品情報が表示される。すなわち、ユーザは、店舗側がジャンル毎に自由に陳列した商品棚を見て回るという実際の店内で買い物をする感覚を疑似体験でき、買い物を楽しむことができる。
【手続補正１６】
【補正対象書類名】明細書
【補正対象項目名】００２５
【補正方法】変更
【補正の内容】
【００２５】
請求項１５に記載の発明は、コンピュータを、商品情報提供サーバ装置にネットワークを介して接続し、店舗で取り扱われている商品に対応する商品情報を複数商品分受信する商品情報受信手段、商品が属するジャンルに基づいて並べられた前記受信した複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させる表示制御手段、として機能させることを特徴とする商品情報表示プログラムである。
【手続補正１７】
【補正対象書類名】明細書
【補正対象項目名】００２６
【補正方法】変更
【補正の内容】
【００２６】
請求項１５に記載の発明によれば、商品が属するジャンルに基づいて並べられた複数商品分の商品情報が、一部の商品分ずつ選択可能な状態で表示されるとともに、選択可能な状態で表示している商品に対応する商品情報とは異なる一部の商品分に対応する商品情報が選択不可能な状態で表示され、ユーザは、ジャンル毎に商品が陳列された商品棚を次から次へと見て回るという実際に店内を回遊する感覚を疑似体験することができ、買い物を楽しむことができる。
【手続補正１８】
【補正対象書類名】明細書
【補正対象項目名】００２７
【補正方法】変更
【補正の内容】
【００２７】
請求項１６に記載の発明は、コンピュータが、商品情報提供サーバ装置にネットワークを介して接続し、店舗で取り扱われている商品に対応する商品情報を複数商品分受信するステップと、前記コンピュータが、商品が属するジャンルに基づいて並べられた前記受信した複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させるステップと、を含むことを特徴とする商品情報表示方法である。
【手続補正１９】
【補正対象書類名】明細書
【補正対象項目名】００２８
【補正方法】変更
【補正の内容】
【００２８】
請求項１６に記載の発明によれば、商品が属するジャンルに基づいて並べられた複数商品分の商品情報が、一部の商品分ずつ選択可能な状態で表示されるとともに、選択可能な状態で表示している商品に対応する商品情報とは異なる一部の商品分に対応する商品情報が選択不可能な状態で表示され、ユーザは、ジャンル毎に商品が陳列された商品棚を次から次へと見て回るという実際に店内を回遊する感覚を疑似体験することができ、買い物を楽しむことができる。
【手続補正２０】
【補正対象書類名】明細書
【補正対象項目名】００２９
【補正方法】変更
【補正の内容】
【００２９】
請求項９に記載の発明は、請求項１乃至請求項８の何れか一項に記載の商品情報提供サーバ装置であって、商品が属するジャンル情報に対し、前記端末装置において並べられる順位を決定するジャンル順位決定手段と、前記ジャンル順位決定手段で決定された前記ジャンル情報の順位に基づいて並べた前記複数商品分の商品情報を、異なるジャンルに属する商品であっても連続して閲覧可能なように表示する商品一覧画面を前記表示部に表示させる前記表示データを生成する表示データ生成手段と、前記表示データ生成手段で生成された前記表示データを前記端末装置に対して送信する送信手段と、を備えることを特徴とする。
【手続補正２１】
【補正対象書類名】明細書
【補正対象項目名】００３０
【補正方法】変更
【補正の内容】
【００３０】
請求項９に記載の発明によれば、異なるジャンルに属する商品を連続して閲覧可能なように表示していることから、ユーザは、ジャンル毎に商品が陳列された商品棚を次から次へと見て回るという実際に店内を回遊する感覚を疑似体験することができ、買い物を楽しむことができる。
【手続補正２２】
【補正対象書類名】明細書
【補正対象項目名】００３１
【補正方法】変更
【補正の内容】
【００３１】
請求項１０に記載の発明は、請求項９に記載の商品情報提供サーバ装置であって、ユーザごとの過去の購入履歴を格納する購入履歴格納手段をさらに備え、前記ジャンル順位決定手段は、前記購入履歴格納手段を参照し、前記端末装置のユーザが過去に購入した商品を、より多く含むジャンルほど、より上位の順位を規定するように、前記ジャンル情報の順位を決定することを特徴とする。
【手続補正２３】
【補正対象書類名】明細書
【補正対象項目名】００３２
【補正方法】変更
【補正の内容】
【００３２】
請求項１０に記載の発明によれば、ユーザが過去に購入した商品を、より多く含むジャンルほど、前方に並べられることから、ユーザは、自分がよく購入する商品をより早く確認することができる。
【手続補正２４】
【補正対象書類名】明細書
【補正対象項目名】００３３
【補正方法】変更
【補正の内容】
【００３３】
請求項１１に記載の発明は、請求項９に記載の商品情報提供サーバ装置であって、ユーザごとの過去の購入履歴を格納する購入履歴格納手段をさらに備え、前記ジャンル順位決定手段は、前記購入履歴格納手段を参照し、前記端末装置のユーザが過去に一度の買い物で複数の商品を購入した際における商品を購入した順序に対応させて、前記ジャンル情報の順位を決定することを特徴とする。
【手続補正２５】
【補正対象書類名】明細書
【補正対象項目名】００３４
【補正方法】変更
【補正の内容】
【００３４】
請求項１１に記載の発明によれば、ユーザが過去に一度の買い物で複数の商品を購入した際における商品を購入した順序に応じてジャンルを並べる際の順位が決まることから、ユーザは、自分の嗜好、思考順路にあったジャンル順で商品を確認することができる。
【手続補正２６】
【補正対象書類名】明細書
【補正対象項目名】００３５
【補正方法】変更
【補正の内容】
【００３５】
請求項１２に記載の発明は、請求項９に記載の商品情報提供サーバ装置であって、前記ジャンル順位決定手段は、特売商品を多く含むジャンルほど、より上位の順位を規定するように、前記ジャンル情報の順位を決定することを特徴とする。
【手続補正２７】
【補正対象書類名】明細書
【補正対象項目名】００３６
【補正方法】変更
【補正の内容】
【００３６】
請求項１２に記載の発明によれば、特売商品を多く含むジャンルほど、前方に並べられることから、ユーザは、特売商品を効率的に確認することができる。
【手続補正２８】
【補正対象書類名】明細書
【補正対象項目名】００３７
【補正方法】変更
【補正の内容】
【００３７】
請求項１３に記載の発明は、請求項９に記載の商品情報提供サーバ装置であって、前記ジャンル順位決定手段は、ジャンル内に含まれる商品の平均割引率が高いジャンルほど、より上位の順位を規定するように、前記ジャンル情報の順位を決定することを特徴とする。
【手続補正２９】
【補正対象書類名】明細書
【補正対象項目名】００３８
【補正方法】変更
【補正の内容】
【００３８】
請求項１３に記載の発明によれば、ジャンル内に含まれる商品の平均割引率が高いジャンルほど、前方に並べられることから、ユーザは、特売商品を効率的に確認することができる。
請求項１４に記載の発明は、ネットワークを介して接続された端末装置に対して、店舗で取り扱われている商品に対応する商品情報を複数商品分提供する商品情報提供サーバ装置であって、前記端末装置に、商品が属するジャンルに基づいて並べられた、前記複数商品分の商品情報を、異なるジャンルに属する商品を連続して閲覧可能なように表示する商品一覧画面を表示部に表示させる表示データを送信し、前記表示データは、前記商品一覧画面に、前記複数商品分の商品情報を一部の商品分ずつ、対応する商品を選択可能な状態で表示させ、前記選択可能な状態で表示している商品に対応する商品情報とともに、前記商品一覧画面にて選択可能な状態で表示されている商品に対応する商品情報とは異なる前記一部の商品分に対応する商品情報を表示させるための商品変更操作が検出された際新たに選択可能な状態で表示させるべき商品に対応する商品情報を、選択不可能な状態で表示させることを特徴とする。
請求項１７に記載の発明は、店舗で取り扱われている商品に対応する商品情報を複数商品分提供する商品情報提供サーバ装置と、前記商品情報提供サーバ装置にネットワークを介して接続する端末装置と、を有する商品情報提供システムであって、前記端末装置は、前記商品情報提供サーバ装置から複数商品分の商品情報を受信する商品情報受信手段と、商品が属するジャンルに基づいて並べられた前記受信した複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させる表示制御手段と、を備えることを特徴とする。
請求項１８に記載の発明は、店舗で取り扱われている商品に対応する商品情報を提供する商品情報提供サーバ装置に、ネットワークを介して接続する端末装置であって、前記商品情報提供サーバ装置から複数商品分の商品情報を受信する商品情報受信手段と、商品が属するジャンルに基づいて並べられた前記受信した複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させる表示制御手段と、を備えることを特徴とする。
請求項１９に記載の発明は、請求項１８に記載の端末装置であって、前記表示制御手段は、選択可能な状態で表示する商品情報に対応する商品のジャンルとは異なるジャンルに属する商品の商品情報を選択不可能な状態で表示する前記商品一覧画面を表示部に表示させることを特徴とする。
請求項２０に記載の発明は、請求項１８又は請求項１９に記載の端末装置であって、前記表示制御手段は、前記商品一覧画面に選択可能な状態で表示させている商品が属するジャンルを示す情報とともに、当該ジャンルとは異なるジャンルであって、前記受信した複数商品分の商品情報に対応する商品のうち何れかの商品が属するジャンルを示す情報を表示させ、前記商品一覧画面に選択可能な状態で表示させている商品が属するジャンルとは異なるジャンルが選択された場合に、当該選択されたジャンルに属する商品に対応する商品情報を表示させることを特徴とする。
請求項２１に記載の発明は、請求項１８乃至請求項２０の何れか一項に記載の端末装置であって、前記商品一覧画面にて選択可能な状態で表示されている商品に対応する商品情報とは異なる前記一部の商品分に対応する商品情報を表示させるための商品変更操作を検出する変更操作検出手段を更に備え、前記表示制御手段は、前記商品変更操作が検出されたことに基づいて、前記商品一覧画面に選択可能な状態で表示させている商品に対応する商品情報から、前記異なる一部の商品分に対応する商品情報にスライドさせつつ表示を切り換えることを特徴とする。
請求項２２に記載の発明は、請求項２１に記載の端末装置であって、前記受信手段は、前記商品情報をＷｅｂページデータとして受信し、前記表示制御手段は、当該Ｗｅｂページデータに基づいて前記商品一覧画面を表示させ、当該Ｗｅｂページデータにより規定される当該商品一覧画面の長手方向と直交する方向に、前記スライドをさせることを特徴とする。
請求項２３に記載の発明は、コンピュータを、商品情報提供サーバ装置にネットワークを介して接続し、店舗で取り扱われている商品に対応する商品情報を複数商品分受信する商品情報受信手段、商品が属するジャンルに基づいて並べられた前記受信した複数商品分の商品情報を、一部の商品分ずつ選択可能な状態で表示するとともに、前記選択可能な状態で表示している商品に対応する商品情報とは異なる前記一部の商品分に対応する商品情報を選択不可能な状態で表示する商品一覧画面を表示部に表示させる表示制御手段、として機能させる商品情報表示プログラムが記録されたコンピュータ読み取り可能な記録媒体である。
【手続補正３０】
【補正対象書類名】明細書
【補正対象項目名】００３９
【補正方法】変更
【補正の内容】
【００３９】
したがって、本発明によれば、商品が属するジャンルに基づいて並べられた複数商品分の商品情報が、一部の商品分ずつ選択可能な状態で表示されるとともに、選択可能な状態で表示している商品に対応する商品情報とは異なる一部の商品分に対応する商品情報が選択不可能な状態で表示され、ユーザは、ジャンル毎に商品が陳列された商品棚を次から次へと見て回るという実際に店内を回遊する感覚を疑似体験することができる。
【手続補正３１】
【補正対象書類名】明細書
【補正対象項目名】発明の名称
【補正方法】変更
【補正の内容】
【発明の名称】商品情報提供システム、商品情報提供サーバ装置、端末装置、商品情報表示方法、商品情報表示プログラム、及び商品情報表示プログラムが記録された記録媒体